(57)【要約】      （修正有）【課題】大型のスイングアームでも位置調整作業が極めて容易に行うことができ、しかも耐久性に富むリフト用スイングアーム構造を提供する。【解決手段】スライド部３の底部外面又はアーム部２の底部内面のいずれかもしくは両方に長手方向に沿ったスライド軌条を設ける。該スライド部３と前記アーム部２との接触面積を少なくするように構成する。スライド部３の外側面長手方向に沿ってラック４を設ける。該ラック４に噛合するピニオンギヤ５をアーム部２の内部に設置する。該ピニオンギヤ５の軸部に連結されて該ピニオンギヤ５をアーム部２の外側で回転せしめる操作ハンドル６を設ける。該操作ハンドル６でアーム部２から伸縮するスライド部３の長さを調整するように構成する。【選択図】図１
0003160176.tif 000002
【実用新案登録請求の範囲】
【請求項１】
車両用のリフトの昇降機構部に基端側を連結して片持ち支持される略角筒状のアーム部と、該アーム部の内部にスライド自在に収納されてアーム部の先端がわから伸縮し、車両のリフトポイントを支持する略角筒状のスライド部とでスイングアームが構成されるリフト用スイングアーム構造であって、スライド部の底部外面又はアーム部の底部内面のいずれかもしくは両方に長手方向に沿ったスライド軌条を設けて該スライド部と前記アーム部との接触面積を少なくするように構成し、スライド部の外側面長手方向に沿ってラックを設け、該ラックに噛合するピニオンギヤをアーム部の内部に設置すると共に、該ピニオンギヤの軸部に連結されて該ピニオンギヤをアーム部の外側で回転せしめる操作ハンドルを設け、該操作ハンドルでアーム部から伸縮するスライド部の長さを調整するように構成したことを特徴とするリフト用スイングアーム構造。
【請求項２】
前記操作ハンドルは前記アーム部の側面から突出してアーム部の長手方向に揺動せしめる杆体状を成し、前記ピニオンギヤと該操作ハンドルとの間にラチェット機構を装着し、該ラチェットの動作方向を切り替えることで、スライド部の伸縮長さを調整するように設けた請求項１記載のリフト用スイングアーム構造。
【請求項３】
前記スライド部は、前記ラックを装着した角筒状の基部と、該基部の内部に収納され基部の先端部から伸縮自在に引き出される先端支持部とで構成された請求項１記載のリフト用スイングアーム構造。
【請求項４】
車両用のリフトの昇降機構部に基端側を連結して片持ち支持される略角筒状のアーム部と、該アーム部の内部にスライド自在に収納されてアーム部の先端がわから伸縮し、車両のリフトポイントを支持する略角筒状のスライド部とでスイングアームが構成されるリフト用スイングアーム構造であって、スライド部の底部外面又はアーム部の底部内面のいずれかもしくは両方に長手方向に沿ったスライド軌条を設けて該スライド部と前記アーム部との接触面積を少なくするように構成し、該スライド部は、前記ラックを装着した角筒状の基部と、該基部の内部に収納され基部の先端部から伸縮自在に引き出される先端支持部とで構成され、基部の外側面長手方向に沿ってラックを設け、該ラックに噛合するピニオンギヤをアーム部の内部に設置すると共に、該ピニオンギヤの軸部に連結されて該ピニオンギヤをアーム部の外側で回転せしめる操作ハンドルを設け、該操作ハンドルは、アーム部の側面から突出してアーム部の長手方向に揺動せしめる杆体状を成し、前記ピニオンギヤと該操作ハンドルとの間にラチェット機構を装着し、該ラチェットの動作方向を切り替えることで、基部の伸縮長さを調整するように設けたことを特徴とするリフト用スイングアーム構造。
【考案の詳細な説明】
【技術分野】
【０００１】
本考案は、自動車整備用のリフトに装着され車両のリフトポイントを支えるリフト用スイングアーム構造に係り、特に、大型のスイングアームでも長さを容易に調整することができるリフト用スイングアーム構造に関する。
【背景技術】
【０００２】
車両の整備等に使用される自動車整備用のリフトは、リフトに備えられたスイングアームの先端部分を車両のリフトポイントの下面にあて、その状態でリフトを上昇させることで、車両を持ち上げる構造である。
【０００３】
車両のリフトポイントは、車種、排気量、メーカー等の違いにより、その位置や寸法が異なる。そのため、スイングアームをリフトポイントの正確な位置に合わせるために、このスイングアームを横方向に旋回させたり、縦方向に伸縮させたりしながらスイングアームの先端部の位置を調整する作業が重要になる。
【０００４】
ところが、スイングアームは、角筒状のアーム部と、該アーム部の内部にスライド自在に収納されてアーム部の先端がわから伸縮して車両のリフトポイントを支持する略角筒状のスライド部とで構成されているので、このスライド部を引き出してスイングアームの長さを伸縮調整する際に、アーム部とスライド部との接触部分に大きな摩擦を伴うものである。しかも、自動車整備用リフトは積載能力が増加する傾向にあるので、スイングアームのサイズや長さが増大し、スライド部の重量が重くなったものでは、このスライド部の引き出し作業やリフトポイントに合わせる調整作業に大きな力を必要とし、スイングアームをリフトポイントの正確な位置に合わせる作業が困難になっていた。
【０００５】
特許文献１は、このスイングアームの伸縮調整を容易にするため、スイングアームのスライド部分にコロを利用するスイングアームの伸縮操作力軽減装置が提案されたものである。
【０００６】
特許文献１によると、コロでスライド部分の荷重を支えるにはコロ自体の強度を相当に上げる必要があり、コロの取り付けスペースが大きくなる上に、コロの接触面の摩耗が激しいといった課題がある。そこで、この装置では、スイングアームのスライド部分に負荷がない場合にローラーがスライド部分の荷重を支え、このスライド部分に負荷がかかっている場合にスライド部分から退避させるローラーを設けるように構成したものである。
【先行技術文献】
【特許文献】
【０００７】
【特許文献１】特開２０００―２８９５８６号公報
【考案の概要】
【考案が解決しようとする課題】
【０００８】
ところが、特許文献１に記載の装置では、スライド部分に負荷がかかっている場合とそうでない場合とでローラーの支持位置を変える必要があるため、ローラー軸を弾性体で形成し、このローラー軸が負荷の有無で変形することによってローラーの支持位置を変更させるようにしている。したがって、弾性体で形成したローラー軸の弾性力が低下し、あるいは大きな負荷がローラー軸にかかることによって弾性体のローラー軸が損傷するおそれがある。そうすると、ローラーが使用できなくなるか、あるいは、ローラーに常時負荷がかかり、従来のようにローラーの接触面の摩耗が激しくなる。特に、スイングアームが大型になっている場合は、摩耗の損傷がより激しくなる不都合が生じる。
【０００９】
しかも、ローラーを用いてスライド長さを調整する場合、スライド規制装置をスイングアームに沿って別途装着する必要もある。そのため、スイングアーム全体の構成が複雑にならざるを得ない。
【００１０】
更に、このようなスライド規制装置を装着したスイングアームを調整する場合、スライド部分の伸縮調整作業と共に、別途装着したスライド規制装置の調整も同時に行う必要がある。この結果、従来のスイングアームの調整作業に比べて多くの手間を要することになる。
【００１１】
そこで本考案は、上述の課題を解消すべく案出されたもので、大型のスイングアームでも位置調整作業が極めて容易に行うことが可能で、大型の車両や特殊な車両のリフトポイントでもスイングアームの先端部分を正確に位置合わせすることができ、しかも耐久性に富むリフト用スイングアーム構造の提供を目的とするものである。
【課題を解決するための手段】
【００１２】
本考案の第１の手段は、車両用のリフトＰの昇降機構部Ｐ１に基端側を連結して片持ち支持される略角筒状のアーム部２と、該アーム部２の内部にスライド自在に収納されてアーム部２の先端がわから伸縮し、車両のリフトポイントを支持する略角筒状のスライド部３とでスイングアーム１が構成されるリフト用スイングアーム構造であって、スライド部３の底部外面又はアーム部２の底部内面のいずれかもしくは両方に長手方向に沿ったスライド軌条７を設けて該スライド部３と前記アーム部２との接触面積を少なくするように構成し、スライド部３の外側面長手方向に沿ってラック４を設け、該ラック４に噛合するピニオンギヤ５をアーム部２の内部に設置すると共に、該ピニオンギヤ５の軸部に連結されて該ピニオンギヤ５をアーム部２の外側で回転せしめる操作ハンドル６を設け、該操作ハンドル６でアーム部２から伸縮するスライド部３の長さを調整するように構成したことにある。
【００１３】
第２の手段の前記操作ハンドル６は前記アーム部２の側面から突出してアーム部２の長手方向に揺動せしめる杆体状を成し、前記ピニオンギヤ５と該操作ハンドル６との間にラチェット機構８を装着し、該ラチェットの動作方向を切り替えることで、スライド部３の伸縮長さを調整するように設けている。
【００１４】
第３の手段の前記スライド部３は、前記ラック４を装着した略角筒状の基部３Ａと、該基部３Ａの内部に収納され基部３Ａの先端部から伸縮自在に引き出される先端支持部３Ｂとで構成されている。
【００１５】
第４の手段は、車両用のリフトＰの昇降機構部Ｐ１に基端側を連結して片持ち支持される略角筒状のアーム部２と、該アーム部２の内部にスライド自在に収納されてアーム部２の先端がわから突出し、車両のリフトポイントを支持する略角筒状のスライド部３とでスイングアーム１が構成されるリフト用スイングアーム構造であって、スライド部３の底部外面又はアーム部２の底部内面のいずれかもしくは両方に長手方向に沿ったスライド軌条７を設けて該スライド部３と前記アーム部２との接触面積を少なくするように構成し、スライド部３の外側面長手方向に沿ってラック４を設け、該ラック４に噛合するピニオンギヤ５をアーム部２の内部に設置すると共に、該ピニオンギヤ５の軸部に連結されて該ピニオンギヤ５をアーム部２の外側で回転せしめる操作ハンドル６を設け、該操作ハンドル６は、アーム部２の側面から突出してアーム部２の長手方向に揺動せしめる杆体状を成し、前記ピニオンギヤ５と該操作ハンドル６との間にラチェット機構８を装着し、該ラチェットの動作方向を切り替えることで、スライド部３の伸縮長さを調整するように設けたことを課題解消のための手段とする。
【考案の効果】
【００１６】
本考案の請求項１の如く、スライド部３の底部に長手方向に沿ったスライド軌条７を設けて該スライド部３と前記アーム部２との接触面積を少なくするように構成し、操作ハンドル６によるラック４アンドピニオンギヤ５の操作でスライド部３の伸縮長さを調整するように構成したことにより、スイングアーム１のサイズが大型になり、スライド部３の重量が重くなった場合でも、スイングアーム１の位置調整作業を極めて容易に行うことができる。
【００１７】
しかも、スライド部３の底部外面又はアーム部２の底部内面のいずれかもしくは両方に長手方向に沿ったスライド軌条７を設けているので、スライド部３とアーム部２との底面の強度は、このスライド軌条７によって強化されているので、大型のスイングアーム１として極めて耐久性に富むものとなる。
【００１８】
請求項２のように、操作ハンドル６は前記アーム部２の側面から突出してアーム部２の長手方向に揺動せしめる杆体状を成し、前記ピニオンギヤ５と該操作ハンドル６との間にラチェット機構８を装着し、該ラチェットの動作方向を切り替えることで、スライド部３の伸縮長さを調整するように設けたことで、作業者は、スイングアーム１の側面でこの操作ハンドル６を操作するだけで、重量のあるスライド部３でも容易に伸縮させることができるものである。
【００１９】
請求項３によると、スライド部３は、前記ラック４を装着した角筒状の基部３Ａと、該基部３Ａの内部に収納され基部３Ａの先端部から伸縮自在に引き出される先端支持部３Ｂとで構成されているので、スライド部３がどのように大型になった場合でも、最も重くなるスライド基部３Ａをスライド軌条７とラックアンドピニオンの作用で伸縮させることができ、重量の軽い先端支持部３Ｂは、これまでどおり引き出すことができる。この結果、スイングアーム１の長さは自由に調整できるものである。
【００２０】
したがって、請求項４により、大型のスイングアームでも位置調整作業が極めて容易に行うことが可能で、大型の車両や特殊な車両のリフトポイントであってもスイングアームの先端部分を正確に位置合わせすることができ、大型のスイングアーム１として極めて耐久性に富むものとなった。
【図面の簡単な説明】
【００２１】
【図１】本考案の一実施例を示す正面図である。
【図２】本考案の一実施例を示す平面図である。
【図３】本考案の一実施例を示す断面図である。
【図４】ピニオンギヤの一実施例を示し、（イ）は平面図（ロ）は正面図である。
【図５】本考の使用状態を示す正面図である。
【考案を実施するための形態】
【００２２】
このように本考案によると、大型のスイングアームでも位置調整作業が極めて容易に行うことが可能で、大型の車両や特殊な車両のリフトポイントであってもスイングアームの先端部分を正確に位置合わせすることができ、しかも耐久性に富むなどといった当初の目的を実現した。
【実施例】
【００２３】
以下、図面を参照して本考案の一実施例を説明する。本考案スイングアーム構造は、略角筒状のアーム部２とこのアーム部２内部に収納される略角筒状のスライド部３とで構成されたスイングアーム１の構造である（図１参照）。
【００２４】
アーム部２は、車両用のリフトＰの昇降機構部Ｐ１に基端側を連結して片持ち支持される部材である（図５参照）。図示例では、昇降機構部Ｐ１に連結せしめる連結端部２Ａをアーム部２の基端部に設け、該連結端部２Ａと昇降機構部Ｐ１とを連結ピンにて連結するピン孔２Ｂを設けている（図２参照）。したがって、このアーム部２は、昇降機構部Ｐ１に対して左右に揺動自在に連結されている。
【００２５】
スライド部３は、アーム部２の内部にスライド自在に収納されてアーム部２の先端がわから伸縮する部材である（図１参照）。このスライド部３の先端部には、例えばゴムパッド９が設けられており、このゴムパッド９を車両のリフトポイントに下から当てて支持するものである（図５参照）。
【００２６】
スライド部３の底部外面又はアーム部２の底部内面のいずれかもしくは両方に長手方向に沿ったスライド軌条７を設けて該スライド部３と前記アーム部２との接触面積を少なくするように構成する（図３参照）。図示例では、スライド部３の底部外面に２条のスライド軌条７を設けている。このスライド軌条７は、重量のあるスライド部３でも滑りを良好にすることができると共に、スライド軌条７を設けた底部の強度を高めることができる。また、後述するように、図示例ではスライド部３をスライド基部３Ａと先端支持部３Ｂとの２段構造に形成しているので、夫々の底部外面にスライド軌条７を設けている。
【００２７】
更に、スライド部３の外側面長手方向に沿ってラック４を設けている（図１参照）。このラック４は、角柱状の金属杆４Ａにラック用の歯４Ｂを設けたもので、スライド部３の外側面にネジ止めや溶接等により強固に固着する。図示例では、ラック４の歯４Ｂを上方に向けてスライド部３の左右一方の側面に金属杆４Ａを固定したものである。
【００２８】
また、図示のスライド部３は、角筒状の基部３Ａと、該基部３Ａの内部に収納され基部３Ａの先端部から伸縮自在に引き出される先端支持部３Ｂとで構成されている（図３参照）。そして、このスライド基部３Ａにラック４を設けており、この先端支持部３Ｂから引き出す先端支持部３Ｂの先端にゴムパッド９を設けている（図１参照）。尤も、スライド基部３Ａがスライド部３全体として構成し、このスライド基部３Ａにゴムパッド９を装着することも可能である。また、図示の先端支持部３Ｂは、１本の角筒状を成しているが、径の異なる複数本の先端支持部３Ｂを組み合わせることも可能である。
【００２９】
一方、ラック４に噛合するピニオンギヤ５をアーム部２の内部に設置する（図３参照）。そして、このピニオンギヤ５をアーム部２の外側から回転せしめる操作ハンドル６を設けている（図２参照）。図示例では、アーム部２に該ピニオンギヤ５を回動自在に固定する固定軸部５Ａを設け（図４（イ）参照）、この固定軸部５Ａの軸部に形成した嵌合孔５Ｂに操作ハンドル６を連結し（同図（ロ）参照）、この操作ハンドル６でアーム部２から伸縮するスライド部３の長さを調整する（図２参照）。
【００３０】
この操作ハンドル６は、アーム部２の側面から突出してアーム部２の長手方向に揺動せしめる杆体状を成す（図１参照）。更に、ピニオンギヤ５と該操作ハンドル６との間にラチェット機構８を装着し、該ラチェットの動作方向を切り替えることで、スライド部３の伸縮長さを調整するように設けている（図２、図３参照）。また、図示しないが、操作ハンドル６を円形状に形成し、ラチェット機構８を介さずに直接ピニオンギヤ５を回動自在に操作することも可能である。この場合、ラチェット機構８の代わりにピニオンギヤ５の速度又はトルク比を変更する複数のギヤを使用してもよい。
【００３１】
本考案は、図示例に限定されるものではなく、アーム部２、スライド部３、ラック４、ピニオンギヤ５、操作ハンドル６、ラチェット機構８等の形状や装着位置などは図示例に限定されず本考案の要旨を変更しない範囲で任意に変更できるものである。
【産業上の利用可能性】
【００３２】
本考案は、自動車整備用のリフトに装着するスイングアーム構造として説明しているが、自動車整備用のリフトに限定されるものではなく、他のリフト装置に装着することも可能である。
【符号の説明】
【００３３】
Ｐ  リフト
Ｐ１  昇降機構部
１  スイングアーム
２  アーム部
２Ａ  連結端部
２Ｂ  ピン孔
３  スライド部
３Ａ  スライド基部
３Ｂ  先端支持部
４  ラック
４Ａ  金属杆
４Ｂ  歯
５  ピニオンギヤ
６  操作ハンドル
７  スライド軌条
８  ラチェット機構
９  ゴムパッド
【図１】
0003160176.tif 000003
【図２】
0003160176.tif 000004
【図３】
0003160176.tif 000005
【図４】
0003160176.tif 000006
【図５】
0003160176.tif 000007
【手続補正書】
【提出日】平成22年4月2日(2010.4.2)
【手続補正１】
【補正対象書類名】実用新案登録請求の範囲
【補正対象項目名】請求項４
【補正方法】変更
【補正の内容】
【請求項４】
車両用のリフトの昇降機構部に基端側を連結して片持ち支持される略角筒状のアーム部と、該アーム部の内部にスライド自在に収納されてアーム部の先端がわから伸縮し、車両のリフトポイントを支持する略角筒状のスライド部とでスイングアームが構成されるリフト用スイングアーム構造であって、スライド部の底部外面又はアーム部の底部内面のいずれかもしくは両方に長手方向に沿ったスライド軌条を設けて該スライド部と前記アーム部との接触面積を少なくするように構成し、該スライド部は、角筒状の基部と、該基部の内部に収納され基部の先端部から伸縮自在に引き出される先端支持部とで構成され、基部の外側面長手方向に沿ってラックを設け、該ラックに噛合するピニオンギヤをアーム部の内部に設置すると共に、該ピニオンギヤの軸部に連結されて該ピニオンギヤをアーム部の外側で回転せしめる操作ハンドルを設け、該操作ハンドルは、アーム部の側面から突出してアーム部の長手方向に揺動せしめる杆体状を成し、前記ピニオンギヤと該操作ハンドルとの間にラチェット機構を装着し、該ラチェットの動作方向を切り替えることで、基部の伸縮長さを調整するように設けたことを特徴とするリフト用スイングアーム構造。